(57)【要約】【課題】蓄電池の残りの使用可能時間を表示する際、使用条件によって残りの使用可能時間が変わるので、あとどのくらいの火力でどのくらいの時間使用できるかという点が分かりにくく、結果として調理の途中で加熱調理器を使用できなくなることがある。【解決手段】残時間表示部９に、蓄電池６に残存した容量値と操作表示部１０で設定した加熱量に応じて決定した加熱残時間を表示するとともに、操作表示部１０により操作されて加熱量が多くなるに従い加熱残時間を減らして表示する。【選択図】図１
2014099253.tif 000002
【特許請求の範囲】
【請求項１】
調理容器を載置するトッププレートと、前記トッププレートの下方に配置され前記調理容器を加熱する加熱手段と、前記トッププレート下方に配置され前記加熱手段へ電力供給する蓄電池と、前記蓄電池に残存した容量値を算出する容量算出部と、前記加熱手段の動作開始及び停止を制御する制御部と、前記蓄電池により加熱可能な加熱残時間を表示する残時間表示部と、前記加熱手段の加熱量を操作し表示する操作表示部とを備え、前記残時間表示部は、前記容量値と前記加熱量に応じて決定した加熱残時間を表示するとともに、前記操作表示部により操作されて前記加熱量が多くなるに従い前記加熱残時間を減らして表示する加熱調理器。
【請求項２】
商用電源から入力される交流電源を整流する第１の整流器と、前記第１の整流器の出力を昇圧して前記加熱手段に電力を供給する第１の電力供給部と、前記第１の電力供給部の出力を平滑するキャパシタと、前記蓄電池の出力を昇圧して前記加熱手段に電力を供給する第２の電力供給部と、前記商用電源の電圧が所定電圧以上であるか判定する電圧判定部とを備え、前記制御部は、前記第１の電力供給部および前記第２の電力供給部の動作開始および停止を制御するとともに、前記電圧判定部が前記商用電源の電圧を所定電圧未満であると判定した場合、前記第２の電力供給部のみが作動して前記加熱手段に電力供給され、前記電圧判定部が前記商用電源の電圧を所定電圧以上であると判定した場合、前記加熱手段の出力が所定電力未満であれば前記第１の電力供給部のみが作動して前記加熱手段に電力供給され、前記加熱手段の出力が所定電力以上であれば前記第１の電力供給部および前記第２の電力供給部の双方が作動して前記加熱手段に電力供給され、前記残時間表示部は、前記第１の電力供給部のみが作動しているときは前記加熱残時間を表示せず、前記第１の電力供給部および前記第２の電力供給部の双方が作動しているときは前記容量値と前記第２の電力供給部から電力供給される電力に応じて決定した加熱残時間を表示する請求項１に記載の加熱調理器。
【請求項３】
前記商用電源から入力された交流電源を整流する第２の整流器と、前記第２の整流器の出力を前記蓄電池に充電するために電流、電圧を変換する充電回路とを備え、前記制御部は、前記充電回路の動作開始および停止を制御するとともに、前記加熱手段の動作が停止している場合に前記充電回路の動作を開始し、前記残時間表示部は充電中であることを表示する請求項１または２に記載の加熱調理器。
【請求項４】
使用者に報知する報知部を備え、前記報知部は、前記蓄電池の前記容量値が所定値以下となった場合に報知させる請求項１〜３に記載の加熱調理器。
【請求項５】
使用者に報知する報知部を備え、前記報知部は、前記加熱残時間が所定値以下となった場合に報知させる請求項１〜３に記載の加熱調理器。
【発明の詳細な説明】
【技術分野】
【０００１】
本発明は、蓄電池を備えた加熱調理器に関するものである。
【背景技術】
【０００２】
従来、この種の誘導加熱調理器としては、例えば、特許文献１（特開平１１−１１１４４２号公報）に記載されたものがある。特許文献１には、図６に示すように充電エネルギーを蓄える蓄電部１０６と、商用電源１２０を整流し前記蓄電部１０６に充電する充電回路１３１と、加熱コイル１０３と前記加熱コイル１０３に高周波電流を供給するインバータ回路１０５と、前記インバータ回路１０５に前記蓄電部１０６の電源を供給する電源供給部１２４と、前記電源供給部１２４を制御し、かつ負荷へ供給される電力が所定の値となるように前記インバータ回路１０５を制御する制御部１０８と、充電状態を表示する充電状態表示部１０９を有し、前記充電状態表示部１０９は、前記蓄電部１０６に蓄えられている充電エネルギーの量を表示する構成とした誘導加熱調理器が記載されており、残りの充電エネルギーの量から残りの使用可能時間を算出することにより残りの使用時間を表示することも可能としている。
【先行技術文献】
【特許文献】
【０００３】
【特許文献１】特開平１１−１１１４４２号公報
【発明の概要】
【発明が解決しようとする課題】
【０００４】
しかしながら、前記従来の構成では、残りの充電エネルギーの量の具体的な表示内容について明確にされておらず、また残りの充電エネルギーの量の表示のみでは、ユーザーに実際の使用状態における残量が具体的に知らしめることが困難であった。また残りの使用可能時間を表示するとしても、使用条件によって使用可能時間が変わるので、あとどのくらいの火力でどのくらいの時間使用できるかという点が分かりにくく、結果として調理の途中で加熱調理器を使用できなくなることがあるという課題があった。
【０００５】
本発明は、前記従来の課題を解決するもので、ユーザーが使用状態に応じた使用可能な残時間を知ることができ、調理の途中で充電エネルギーの残量が無くなり加熱調理器を使用できなくなることを防ぎやすくし、ユーザーに使い勝手の良い加熱調理器を提供することを目的とする。
【課題を解決するための手段】
【０００６】
前記従来の課題を解決するために、本発明の加熱調理器は、残時間表示部に、蓄電池に残存した容量値と操作部で設定した加熱量に応じて決定した加熱残時間を表示するとともに、前記操作表示部により操作されて前記加熱量が多くなるに従い前記加熱残時間を減らして表示する構成としたものである。
【０００７】
本構成により、蓄電池から供給される電力で使用することができる加熱残時間をユーザーが使用中の火力に応じていつでも把握することができ、ユーザーにとって使い勝手の良い加熱調理器を実現することができる。
【発明の効果】
【０００８】
本発明の加熱調理器は、加熱量に応じた蓄電池の加熱残時間を簡単な構成で最適に表示でき、ユーザーがいつでも把握でき、蓄電池からの電力供給を有効に活用した調理プラン
を検討可能にし、ユーザーの力量によりエネルギー消費量を削減可能な環境に配慮した使用ができ、ユーザーに使い勝手の良い加熱調理器を提供することができる。
【図面の簡単な説明】
【０００９】
【図１】本発明の実施の形態１における加熱調理器の全体構成図
【図２】本発明の実施の形態２における加熱調理器の全体構成図
【図３】本発明の実施の形態３における加熱調理器の全体構成図
【図４】本発明の実施の形態４における加熱調理器の全体構成図
【図５】本発明の実施の形態５における加熱調理器の全体構成図
【図６】従来の誘導加熱調理器の全体構成図
【発明を実施するための形態】
【００１０】
第１の発明は、調理容器を載置するトッププレートと、前記トッププレートの下方に配置され前記調理容器を加熱する加熱手段と、前記トッププレート下方に配置され前記加熱手段へ電力供給する蓄電池と、前記蓄電池に残存した容量値を算出する容量算出部と、前記加熱手段の動作開始及び停止を制御する制御部と、前記蓄電池により加熱可能な加熱残時間を表示する残時間表示部と、前記加熱手段の加熱量を操作し表示する操作表示部とを備え、前記残時間表示部は、前記蓄電池の容量値と前記加熱量に応じて決定した加熱残時間を表示するとともに、前記操作表示部により操作されて前記加熱量が多くなるに従い前記加熱残時間を減らして表示する構成としたものである。これにより、加熱調理器本体を商用電源に接続せずに蓄電池のみで動作する場合において、蓄電池から供給される電力で使用することができる加熱残時間をユーザーが把握することができ、蓄電池からの電力供給を有効に活用した調理プランを検討可能にし、ユーザーにとって使い勝手の良い加熱調理器を簡単な構成で実現することができる。
【００１１】
第２の発明は、特に、第１の発明において、商用電源から入力される交流電源を整流する第１の整流器と、前記第１の整流器の出力を昇圧して前記加熱手段に電力を供給する第１の電力供給部と、前記第１の電力供給部の出力を平滑するキャパシタと、前記蓄電池の出力を昇圧して前記加熱手段に電力を供給する第２の電力供給部と、前記商用電源の電圧が所定電圧以上であるか判定する電圧判定部とを備え、前記制御部は、前記第１の電力供給部および前記第２の電力供給部の動作開始および停止を制御するとともに、前記電圧判定部が前記商用電源の電圧を所定電圧未満であると判定した場合、前記第２の電力供給部のみにより前記加熱手段に電力供給され、前記電圧判定部が前記商用電源の電圧を所定電圧以上であると判定した場合、前記加熱手段の出力が所定電力未満であれば前記第１の電力供給部のみにより前記加熱手段に電力供給され、前記加熱手段の出力が所定電力以上であれば前記第１の電力供給部および前記第２の電力供給部の双方により前記加熱手段に電力供給され、前記算時間表示部は、前記第１の電力供給部のみが作動しているときは前記加熱残時間を表示せず、前記第１の電力供給部および前記第２の電力供給部の双方が作動しているときは前記容量値と前記第２の電力供給部から電力供給される電力に応じて決定した加熱残時間を表示する構成としたものである。これにより、加熱調理器本体を商用電源に接続した場合において、蓄電池から供給される電力で使用することができる加熱残時間をユーザーが把握することができる。したがって蓄電池からの電力供給により商用電源の定格を越えるハイパワーの加熱を行う際にもハイパワーの加熱が継続できる加熱残時間をユーザーが把握することができ、蓄電池をさらに有効に活用した調理プランを検討可能にし、ユーザーの力量によりエネルギー消費量を削減可能な環境に配慮した使用ができ、ユーザーにとって使い勝手の良い加熱調理器を実現することができる。
【００１２】
第３の発明は、特に、第１、第２の発明において、前記商用電源から入力された交流電源を整流する第２の整流器と、前記第２の整流器の出力を前記蓄電池に充電するために電流、電圧を変換する充電回路とを備え、前記制御部は、前記充電回路の動作開始および停
止を制御するとともに、前記加熱手段の動作が停止している場合に前記充電回路の動作を開始し、前記残時間表示部は充電中であることを表示する構成としたものである。これにより、加熱調理器本体に充電機能を持つ場合において、蓄電池が充電中であることを、充電中は表示不要な加熱残時間に代えて表示でき、ユーザーは充電が完了するのを待ってハイパワーの加熱を行うなど、蓄電池の充電状況を踏まえた調理プランを検討することができる。
【００１３】
第４の発明は、特に、第１〜３の発明において、使用者に報知する報知部を備え、前記報知部は、前記蓄電池の前記容量値が所定値以下となった場合に報知させる構成としたものである。これにより、蓄電池からの電力供給が調理完了まで得られずに調理を失敗することを防止するように蓄電池の残りの容量が所定の量よりも少なくなったときに調理プランを再検討するきっかけをユーザーに知らしめることができ、ユーザーにとって使い勝手の良い加熱調理器を実現することができる。
【００１４】
第５の発明は、特に、第１〜４の発明において、使用者に報知する報知部を備え、前記報知部は、前記加熱残時間が所定値以下となった場合に報知させる構成としたものである。これにより、蓄電池からの電力供給が調理完了まで得られずに調理を失敗することを防止するように蓄電池からの電力供給が途絶える所定時間前に調理プランを再検討するきっかけをユーザーに知らしめることができ、ユーザーにとって使い勝手の良い加熱調理器を実現することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における加熱調理器の全体構成図である。
【００１７】
図１において、トッププレート２に調理容器１が載置されており、加熱コイル３からの誘導磁界により調理容器１は加熱される。温度センサ４は調理容器１からの熱赤外線を検知し、加熱コイル３の下方に設置され、トッププレート２の可視部越しに熱赤外線が入光されている。制御部８はマイコンにより構成され、温度センサ４による温度情報に基づいて、加熱コイル３に高周波電流を供給するインバータ回路５を制御する。
【００１８】
ユーザーは操作表示部１０を介し、加熱調理器の電源ＯＮ／ＯＦＦを切り替えることや、該当バーナーに設置された調理容器１を加熱するために加熱開始や停止を行うことができる。また、加熱する際に火力（加熱量）を多くまたは少なくするように設定を変更することができ、メニューを選択することで揚げ物の温調制御をおこなうことができる。
【００１９】
また、ユーザーの操作に応じて、電源をＯＮにした場合は電源ＬＥＤを点灯させ、火力の設定値に応じた現在の設定火力をＬＥＤの点灯数により表示する。
【００２０】
蓄電池６はリチウムイオン電池をバッテリーセルに使用し、リチウムイオン電池の仕様は例えば、定格電圧２００Ｖ、１０００Ｗｈとする。なお、本実施の形態では、リチウムイオン電池を使用するとしたが、ニカド蓄電池やニッケル水素蓄電池、鉛蓄電池等の他の蓄電池でも充放電時間、大きさ、価格のバランスが取れればこれに限らずともよい。
【００２１】
容量算出部７は、蓄電池６からインバータ回路５への供給電流を電流センサ等により検知し、検知した供給電流を蓄電池６から得た蓄電池の定格容量値から差し引くことで、蓄電池６の残容量を算出する。
【００２２】
次に、制御部８の動作について説明する。
【００２３】
まず、ユーザーが操作表示部１０を操作し、加熱調理器の加熱開始操作をおこなった場合、制御部８は加熱中と判断する。制御部８が加熱中と判断した場合、蓄電池６からの電力供給を行う。まず、蓄電池６の充電状態を確認し、蓄電池６が供給可能である場合は、インバータ回路５を駆動し、例えば（表１）のように、操作表示部１０で設定した設定火力に応じた電力を出力する。
【００２４】
【表１】
2014099253.tif 000003
【００２５】
残時間表示部９は、容量算出部７で算出した残容量と操作表示部１０で設定した設定火力を除して算出した加熱残時間を表示する。蓄電池６が残容量が少ないなどの理由から供給不可能であると判断した場合は、残時間表示部９に充電する旨（例えば、『電池がありません。充電して下さい』など）を表示し、加熱は行わない。この場合、蓄電池６を取り外して充電することで再び使用することができるようになる。また、オプションで予備の蓄電池６を準備しておき、交換する等して使用することも可能である。
【００２６】
また、ユーザーは任意の火力で加熱を開始してから残時間表示部９に表示された加熱残時間を見ると、今後の調理に要する時間が加熱残時間を越えると思われるときは調理物の量を増やさないようにしたり、調理容器に蓋をして放熱量を減らしつつ火力を弱めて加熱残時間を増やしたりするなどして、調理プランを検討して最善の策を取ることができる。また、残時間表示部９に表示される加熱残時間が火力設定によって大きく変化することが実感として分かるのでユーザーの心情としてなるべく必要最小限の火力で効率よく調理しようという意思が働きやすくなるため、結果として知らず知らずのうちに省エネを実践しているという効果も得られるものと考えられる。
【００２７】
さらに、ユーザーは調理中の火力における加熱残時間に余裕があるときは、操作表示部１０を操作して火力を上げると加熱残時間の表示が瞬時に少なく表示されるので、火力を上げたときの加熱残時間を簡単に確認することができ、今後の調理に要すると思われる時間から火力を上げるかどうかを判断して最善の調理プランを実行することができる。
【００２８】
以上のような構成により、加熱調理器本体を商用電源に接続せずに蓄電池のみで動作する場合において、蓄電池から供給される電力で使用することができる火力設定に応じた加熱残時間をユーザーが随時把握することができ、蓄電池からの電力供給を有効に活用した調理プランを検討可能にし、ユーザーの力量によりエネルギー消費量を削減可能な環境に配慮した使用ができ、ユーザーにとって使い勝手の良い加熱調理器を実現することができる。
【００２９】
（実施の形態２）
図２は、本発明の実施の形態２における加熱調理器の全体構成図である。
【００３０】
なお、実施の形態１と同じ機能、同じ構成の部品に関しては同じ番号を付し、説明を省略し、相違点についてのみ説明する。
【００３１】
実施の形態１との相違点は、商用電源２０から入力される交流電源を整流する第１の整
流器２１と、第１の整流器２１の出力を昇圧してインバータ回路５に電力を供給する第１の電力供給部２２と、第１の電力供給部２２の出力を平滑するキャパシタ２３と、蓄電池６の出力を昇圧してインバータ回路５に電力を供給する第２の電力供給部２４と、商用電源２０の電圧が所定電圧以上であり給電可能であるか判定する電圧判定部２５とを備え、制御部８は、第１の電力供給部２２および第２の電力供給部２４の動作開始および停止を制御し、電圧判定部２５が商用電源２０の電圧が所定電圧未満であり給電不可能と判定した場合、第２の電力供給部２４のみが作動してインバータ回路５に電力供給され、電圧判定部２５が商用電源２０の電圧が所定電圧以上であり給電可能と判定した場合、加熱手段の出力が商用電源２０の定格電力に設定した所定電力未満であれば第１の電力供給部２２のみが作動してインバータ回路５に電力供給され、加熱手段の出力が商用電源２０の定格電力に設定した所定電力以上であれば第１の電力供給部２２および第２の電力供給部２４の双方が作動してインバータ回路５に電力供給され、残時間表示部９は、第１の電力供給部２２のみが作動しているときは加熱残時間を表示せず、第１の電力供給部２２および第２の電力供給部２４の双方が作動しているときは容量値と第２の電力供給部２４から電力供給される電力に応じて決定した加熱残時間を表示する点である。
【００３２】
商用電源２０から供給された交流電源（本実施の形態ではＡＣ１００Ｖとする）は第１の整流器２１を介して直流電源に変換される。第１の整流器２１により全波整流された直流電源は第１の電力供給部２２に接続され、所定電圧（本実施の形態ではＤＣ２００Ｖとする）に昇圧される。
【００３３】
なお、本実施の形態における所定電圧はＤＣ２００Ｖとしたが、インバータ回路５の構成要素であるパワー半導体や、変換効率を加味し設定するものであり、これに限らなくてもよい。
【００３４】
第１の電力供給部２２により昇圧された出力はキャパシタ２３に供給され平滑される。本実施の形態において、第１の電力供給部２２は、入力電圧をＡＣ１００Ｖ、入力電流の最大値を１４Ａとし、出力電圧を２００Ｖ、出力電流の最大値を７Ａに設定した昇圧回路と、力率を改善するＰＦＣ機能を持つ回路とを有する。
【００３５】
蓄電池６に蓄えられた電力からの出力電圧を昇圧する第２の電力供給部２４は、出力電圧を監視しスイッチング素子のＯＮ時間を制御するチョッパー型の昇圧回路とし、ＤＣ５０ＶをＤＣ２００Ｖに昇圧する。
【００３６】
電圧判定部２５は、商用電源２０の電圧を監視し、例えば、実効値が９０Ｖ以上であれば給電可能と判断し、それ未満であれば、給電不可能と判断する。
【００３７】
次に、制御部８の動作について説明する。
【００３８】
制御部８は加熱中でかつ、電圧判定部２５が給電可能と判断し、操作表示部１０で設定した設定火力が所定出力（本実施の形態では所定出力は１．４ｋＷとする）以下かどうかを判断する。所定出力は商用電源の供給能力から算出される電力からその他回路の消費電力を引いた値に設定する。
【００３９】
設定火力が所定出力以下の場合は、制御部８は第１の電力供給部２２のみを駆動させてインバータ回路５を駆動し、設定火力を出力する。残時間表示部９は蓄電池６の電力が使用されていないため残時間の表示は行わない。
【００４０】
設定火力が所定出力を超える場合は、所定出力を超える出力を得るために商用電源２０からの電力供給に加えて蓄電池６からも電力供給を行う必要がある。まず、容量算出部７
により蓄電池６の充電状態を確認し、供給可能であると判断すれば、第１の電力供給部２２と第２の電力供給部２４を双方とも駆動させてインバータ回路５に電力供給し、設定火力を出力する。残時間表示部９は、容量算出部７で算出した蓄電池６の残容量と第２の電力供給部２４からインバータ回路５に供給される電力から加熱残時間を算出して表示する。ここで第２の電力供給部２４からインバータ回路５に供給される電力は、第２の電力供給部２４の昇圧電圧と別途測定した出力電流から算出することができるが、インバータ回路５の入力電力から商用電源２０からの供給電力を差し引いた電力量としても算出可能である。
【００４１】
一方、蓄電池６が残容量が少ないなどの理由から供給可能状態でないと判断した場合は第１の電力供給部２２のみを駆動させてインバータ回路５を駆動し、所定出力（１．４ｋＷ）を出力する。残時間表示部９は蓄電池６の電力が使用されていないため残時間の表示は行わない。
【００４２】
また、電圧判定部２５が給電不可能と判断した場合は、第２の電力供給部２４のみを駆動させてインバータ回路５を駆動し設定火力を出力する。残時間表示部９は、容量算出部７で算出した蓄電池６の残容量と操作表示部１０で設定した設定火力を除して算出した加熱残時間を表示する。但し、設定火力が所定出力を超える設定であった場合は、実際に出力している所定出力における加熱残時間を算出して表示する。
【００４３】
また、ユーザーは所定電力を超える火力設定で加熱を開始してから残時間表示部９に表示された加熱残時間を見ると、今後の調理に要する時間が加熱残時間を越えると思われるときは火力設定を所定電力以下に変更して調理するなどして、最適な火力を検討して最善の策を取ることが出来る。
【００４４】
なお、本実施の形態では蓄電池６を１０００Ｗｈの容量とし、蓄電池６からの出力電力の最大値は１０００Ｗとする。よって、最大設定火力を２．４ｋＷとし、操作表示部１０にてユーザーが設定できる設定火力は２．４ｋＷまでとする。なお、本実施の形態における蓄電池６は１０００Ｗｈ、最大出力電力を１０００Ｗとしたが、蓄電池６の大きさ、価格のバランスによりこれに限られるものではない。
【００４５】
以上のような構成により、加熱調理器本体を商用電源に接続した場合において、蓄電池から供給される電力で使用することができる加熱残時間をユーザーが把握することができる。したがって商用電源の電源供給状態と蓄電池の充電状態と火力設定状態を監視しながら最適な制御を行いながら蓄電池の残量が常に把握でき、蓄電池からの電力供給により商用電源の定格を越えるハイパワーの加熱を行う際にもハイパワーの加熱が継続できる加熱残時間をユーザーが把握することができ、蓄電池をさらに有効に活用した調理プランを検討可能にし、ユーザーにとって使い勝手の良い加熱調理器を実現することができる。
【００４６】
（実施の形態３）
図３は、本発明の実施の形態３における加熱調理器の全体構成図である。
【００４７】
なお、実施の形態１または２と同じ機能、同じ構成の部品に関しては同じ番号を付し、説明を省略し、相違点についてのみ説明する。
【００４８】
実施の形態１または２との相違点は、商用電源２０から入力された交流電源を整流する第２の整流器３０と、第２の整流器３０の出力を蓄電池６に充電するために電流、電圧を変換する充電回路３１とを備え、制御部８は、充電回路３１の動作開始および停止を制御するとともに、インバータ回路５の動作が停止している場合に充電回路３１の動作を開始し、残時間表示部９は充電中であることを表示する点である。
【００４９】
また、充電中の表示は、充電満了までの残時間を容量算出部７により算出して表示すればユーザーにとってさらに分かりやすい表示となる。
【００５０】
ユーザーは、充電中は残時間表示部９に表示された充電中の表示を見て蓄電池６が充電中かどうかを知ることができ、例えば所定電力を超えるハイパワーの加熱を行いたいときには蓄電池６残容量が十分残っている必要があるため、充電が終了してから調理を開始するようにすることができる。
【００５１】
充電回路３１はＡＣ１００Ｖを降圧し、５０ＶのＤＣ電圧に変換する定電圧定電流回路であり、蓄電池６の充電電圧が低い間は定電流充電を行い、充電電圧が高くなった場合に定電圧充電を行うＣＶＣＣ方式とする。なお、本実施の形態では充電回路３１をＣＶＣＣ方式としたが、蓄電池６の寿命、環境温度のバランスが取れればパルス充電方式でもよい。
【００５２】
以上のような構成により、加熱調理器本体に充電機能を持つ場合において、蓄電池が充電中であることを、充電中は表示不要な加熱残時間に代えて表示でき、ユーザーは充電が完了するのを待ってハイパワーの加熱を行うなど、蓄電池の充電状況を踏まえた調理プランを検討することができる。
【００５３】
（実施の形態４）
図４は、本発明の実施の形態４における加熱調理器の全体構成図である。
【００５４】
なお、実施の形態１〜３と同じ機能、同じ構成の部品に関しては同じ番号を付し、説明を省略し、相違点についてのみ説明する。
【００５５】
実施の形態１〜３との相違点は、使用者に報知する報知部４０を備え、報知部４０は、蓄電池６の残容量が所定値（例えば、定格容量の５％）以下となった場合に報知させる点である。
【００５６】
また、ユーザーによる操作に応じて報知部４０は音声、ブザーなどで報知を行うことができ、炊飯、湯沸かし等の自動調理を行う場合や、タイマー調理により、設定時間後に加熱を停止する場合などに調理終了を報知することができる。
【００５７】
以上のような構成により、蓄電池からの電力供給が調理完了まで得られずに調理を失敗することを防止するように蓄電池の残りの容量が所定の量よりも少なくなったときに調理プランを再検討するきっかけをユーザーに知らしめることができ、ユーザーにとって使い勝手の良い加熱調理器を実現することができる。
【００５８】
（実施の形態５）
図５は、本発明の実施の形態５における加熱調理器の全体構成図である。
【００５９】
なお、実施の形態１〜３と同じ機能、同じ構成の部品に関しては同じ番号を付し、説明を省略し、相違点についてのみ説明する。
【００６０】
実施の形態１〜３との相違点は、使用者に報知する報知部を備え、報知部４０は、蓄電池６の加熱残時間が所定値（例えば、残り時間３分前）以下となった場合に報知させる点である。
【００６１】
以上のような構成により、蓄電池からの電力供給が調理完了まで得られずに調理を失敗
することを防止するように蓄電池からの電力供給が途絶える所定時間前に調理プランを再検討するきっかけをユーザーに知らしめることができ、ユーザーにとって使い勝手の良い加熱調理器を実現することができる。
【産業上の利用可能性】
【００６２】
以上のように、本発明にかかる加熱調理器は、加熱量に応じて蓄電池の加熱残時間を最適表示することができるので、蓄電池を有する一般家庭の台所や業務用の厨房で使用されるその他の調理器に対しても同様に応用することができる。
【符号の説明】
【００６３】
１    調理容器
２    トッププレート
３    加熱コイル（加熱手段）
６    蓄電池
７    容量算出部
８    制御部
９    残時間表示部
１０  操作表示部
２０  商用電源
２１  第１の整流器
２２  第１の電力供給部
２３  キャパシタ
２４  第２の電力供給部
２５  電圧判定部
３０  第２の整流器
３１  充電回路
４０  報知部
【図１】
2014099253.tif 000004
【図２】
2014099253.tif 000005
【図３】
2014099253.tif 000006
【図４】
2014099253.tif 000007
【図５】
2014099253.tif 000008
【図６】
2014099253.tif 000009